(57)【要約】【課題】従来の受信機では電源投入後または選局後、テレビ映像が出力されるまでに一定時間チャンネル表示を行っていた。階層伝送方式の放送においては階層ごとに映像符号化方式などの運用が異なる場合、階層ごとに映像が出力されるまでの時間にバラツキが大きくなり、テレビ映像が出力される前にチャンネル表示が消去され映像出力がブラックアウトしたり、テレビ映像が出力された後に長時間チャンネル表示が残ったままになりユーザの視聴を妨げる可能性がある。【解決手段】受信中サービスの階層を識別する階層識別手段と、階層ごとにチャンネル表示時間を変更するチャンネル表示手段とを備えることにより、選局時に適切な時間だけチャンネル表示を行うことができる。【選択図】図１
2006254176.tif 000002
【特許請求の範囲】
【請求項１】
複数の伝送パラメータを持つ信号を同時に伝送する階層伝送方式の放送を受信する場合に受信中サービスの階層を識別する階層識別手段と、階層ごとにチャンネル表示時間を変更するチャンネル表示手段とを備えることを特徴とするチャンネル表示装置。
【請求項２】
複数の伝送パラメータを持つ信号を同時に伝送する階層伝送方式の放送を受信する場合に受信中サービスの階層を識別する階層識別手段と、所定の階層の場合に限り映像が出力されるまでの間に所定のメッセージを表示するメッセージ表示手段とを備えることを特徴とするメッセージ表示装置。
【請求項３】
複数の映像符号化方式を持つ信号を同時に伝送する放送を受信する場合に受信中サービスの映像符号化方式を識別する映像符号化方式識別手段と、映像符号化方式ごとにチャンネル表示時間を変更するチャンネル表示手段とを備えることを特徴とするチャンネル表示装置。
【請求項４】
複数の映像符号化方式を持つ信号を同時に伝送する放送を受信する場合に受信中サービスの映像符号化方式を識別する映像符号化方式識別手段と、所定の映像符号化方式の場合に限り映像が出力されるまでの間に所定のメッセージを表示するメッセージ表示手段とを備えることを特徴とするメッセージ表示装置。
【請求項５】
選局後、映像が出力されるまでの間に映像デコード処理中のメッセージを表示し、映像が出力された際に前記メッセージを消去することを特徴とするメッセージ表示方法。
【発明の詳細な説明】
【技術分野】
【０００１】
本発明は、デジタル放送受信機において選局されたサービスのチャンネル情報や番組情報などを表示するチャンネル表示装置及びその方法に関するものである。
【背景技術】
【０００２】
電源投入後や選局後に映像が出力されるまでの間、ブラックアウトしたままでは故障しているかのような誤解をユーザに与えるため、何らかの表示が必要である。一般に放送受信機では選局されたサービスのチャンネル表示が一定時間、テレビ映像に重畳して出力される。電源オン時にテレビ映像が出力されるまでの時間のバラツキが大きい、ＣＲＴを用いた受信機において、ＣＲＴの立ち上がりを検出して、それから所定時間チャンネル表示を行うテレビジョン装置がある（例えば、特許文献１参照）。
【特許文献１】特開平３−１０１３８６号公報
【発明の開示】
【発明が解決しようとする課題】
【０００３】
従来の受信機では電源投入後または選局後、テレビ映像が出力されるまでに一定時間チャンネル表示を行っていた。テレビ映像が出力されるまで時間にバラツキがある場合、テレビ映像が出力される前にチャンネル表示が消去され映像出力がブラックアウトしたり、テレビ映像が出力された後に長時間チャンネル表示が残ったままになりユーザの視聴を妨げる可能性がある。
【０００４】
複数の伝送パラメータを持つ信号を同時に伝送する階層伝送方式の放送においては階層ごとに映像符号化方式や符号化パラメータなどの運用が定められることがある。例えば帯域の少ない階層では、画質を維持するためにＭＰＥＧ４のＩＤＲアクセスユニットの送出周期を長くするという運用が考えられる。この場合、最初にＩＤＲアクセスユニットが受信できるまで映像再生できないため映像が出力されるまでの時間のバラツキが大きくなるという問題がある。
【０００５】
特許文献１のようにＣＲＴの立ち上がりを検出して、表示開始時期を変更することにより電源投入時にテレビ映像が出力されるまでの時間にバラツキがある問題は解決されるが、階層伝送方式のように、選局時に映像が出力されるまでの時間にバラツキが発生する場合の問題は解決できない。
【０００６】
本発明は、受信中サービスの階層ごとにチャンネル表示時間を変更することにより、選局後にテレビ映像が出力されるまでの間に出力がブラックアウトしないよう適切にチャンネル表示を行うとともに、テレビ映像が出力された後に長時間チャンネル表示が継続されないチャンネル表示装置及びその方法を提供することを目的とする。
【課題を解決するための手段】
【０００７】
本発明の請求項１に係るチャンネル表示装置は、受信中サービスの階層を識別する階層識別手段と階層ごとにチャンネル表示時間を変更するチャンネル表示手段とを備えることを特徴とする。
【０００８】
本発明の請求項２に係るメッセージ表示装置は、受信中サービスの階層を識別する階層識別手段と、所定の階層の場合に限り映像が出力されるまでの間に所定のメッセージを表示するメッセージ表示手段とを備えることを特徴とする。
【０００９】
本発明の請求項３に係るチャンネル表示装置は、受信中サービスの映像符号化方式を識別する映像符号化方式識別手段と、映像符号化方式ごとにチャンネル表示時間を変更するチャンネル表示手段を備えることを特徴とする。
【００１０】
本発明の請求項４に係るメッセージ表示装置は、受信中サービスの映像符号化方式を識別する映像符号化方式識別手段と、所定の映像符号化方式の場合に限り映像が出力されるまでの間に所定のメッセージを表示するメッセージ表示手段とを備えることを特徴とする。
【００１１】
本発明の請求項５に係るメッセージ表示方法は、選局後、映像が出力されるまでの間に映像デコード処理中のメッセージを表示し、映像が出力された際に前記メッセージを消去することを特徴とする。
【発明の効果】
【００１２】
本発明により、電源投入時や選局時にテレビ映像が出力されるまでの間、チャンネル表示やメッセージ表示を行うことにより出力映像がブラックアウトすることを防ぎ、ユーザに故障しているとの誤解を与えることがなくなる。またテレビ映像が出力された後にチャンネル表示やメッセージ表示が長時間表示されつづけることがなくなりユーザの視聴を必要以上に妨げることがなくなる。
【発明を実施するための最良の形態】
【００１３】
（実施の形態１）
図１は、本発明の実施の形態１に係るチャンネル表示装置を搭載した放送受信装置の構成を示すブロック図である。図１において１は選局手段により選局されたサービスの階層を識別する階層識別手段、２は選局されたサービスが階層１である場合には８秒間チャンネル表示を行い、階層２の場合には３秒間チャンネル表示を行うチャンネル表示手段である。
【００１４】
本実施形態では放送信号はＯＦＤＭ変調方式で放送され、階層１ではＯＦＤＭセグメントの１セグメントだけを用いＭＰＥＧ４で符号化された映像信号を送出し、階層２ではＯＦＤＭセグメントの１２セグメントを用いＭＰＥＧ２で符号化された映像信号を送出するものとする。階層識別手段１は選局されたサービス識別信号とサービスリスト情報から階層を識別する。サービスリスト情報は受信可能なサービスのサービス識別番号と物理チャンネルと階層情報が格納されているものとする。サービスリスト情報は受信機設置時などに行われるチャンネルスキャンなどによって作成されるのが一般的であり、スキャン時に１セグメントか１２セグメントかを判断して階層を識別することが可能である。また、サービス識別番号ごとに階層を規定している放送運用形態の場合には選局されたサービスのサービス識別番号を用いて階層を識別することも可能である。また、本実施形態ではチャンネル表示手段２は物理チャンネル情報を表示するものとするが、サービス識別番号やサービスごとに定められるロゴ情報や番組情報などを表示してもよい。
【００１５】
次に、本発明のチャンネル表示方法の処理について、図２に示す。ユーザによるサービス指定選局要求が発生すると選局手段は映像をミュートし、階層識別手段とチャンネル表示手段に選局されたサービスを通知する。（ステップＳ１０２）。次に、指定されたサービスの物理チャンネルをサービスリスト情報から検索し選局処理を開始する（ステップＳ１０３）。階層識別手段は、指定されたサービスの階層をサービスリスト情報から検索する（ステップＳ１０４）。階層１の場合には、チャンネル表示手段はタイマを８秒に設定してチャンネル表示を行い、合成画像出力手段がミュートされた映像とチャンネル表示を合成して、映像を出力する（ステップＳ１０６）。階層１の場合には、チャンネル表示手段はタイマを３秒に設定してチャンネル表示を行い、合成画像出力手段がミュートされた映像とチャンネル表示を合成して、映像を出力する（ステップＳ１０７）。映像デコード手段は、選局手段による選局処理は完了して１フレーム目の映像デコードが完了した時点で、映像ミュート手段にミュートを解除させる（ステップＳ１０９）。チャンネル表示手段はタイマに設定した時間が到来した時点で、チャンネル表示を消去する（ステップＳ１１１）。
【産業上の利用可能性】
【００１６】
本発明のチャンネル表示装置及びその方法は、受信中サービスの階層や映像符号化方式ごとにチャンネル表示時間を変更することにより、出力映像がブラックアウトすることを防ぎ、かつユーザの視聴を必要以上に妨げることをなくすことができ、複数の放送方式を運用している放送向けのテレビやセットトップボックスとして有用である。
【図面の簡単な説明】
【００１７】
【図１】本発明の実施の形態１におけるチャンネル表示装置を搭載した放送受信装置の構成を示すブロック図
【図２】本発明の実施の形態１におけるチャンネル表示方法の処理を示すフローチャート
【符号の説明】
【００１８】
１    階層識別手段
２    チャンネル表示手段
【図１】
2006254176.tif 000003
【図２】
2006254176.tif 000004